【事件の表示】
　特願２０００−５２１７４９「体液サンプリング装置」拒絶査定不服審判事件〔平成１１年　６月　３日国際公開、ＷＯ９９／２６５３９、平成１３年１１月２７日国内公表、特表２００１−５２３５０８〕について、次のとおり審決する。
【結　論】
　本件審判の請求は、成り立たない。
【理　由】
　本願は、平成１０年１１月１８日の出願であって、その請求項１−９に係る発明は、平成１６年１０月２７日付け手続補正書で補正された特許請求の範囲の請求項１−９に記載された事項により特定されるとおりのものであると認める。
　これに対して、平成１９年　１月１２日付けで拒絶理由を通知し、期間を指定して意見書を提出する機会を与えたが、請求人からは何らの応答もない。
　拒絶理由の内容は、以下のとおりである。
『１．手続の経緯　 
 　本願は、平成１２年５月２２日（パリ条約による優先権主張外国庁受理１９９７年１１月２１日、アメリカ合衆国）を国際出願日とする出願であって、平成１６年６月２４日付けで拒絶査定がなされ、これに対し、同年９月２７日に拒絶査定に対する審判請求がなされると共に、同年１０月２７日付で手続補正がなされたものである。　 
 　 
 ２．本願発明　 
 　本願の請求項１〜９に係る発明は、平成１６年１０月２７日付け手続補正書により補正された特許請求の範囲の請求項１〜９に記載された事項により特定される次のとおりのものと認める。（以下、請求項１に係る発明を「本願発明」という。） 
 「【請求項１】　血液又は細胞間体液をサンプリングするための体液サンプリング装置において、長手方向軸線を画定する手で掴むことができるスリーブと、皮膚に切れ目を入れるため皮膚切り込み媒体を支持するキャリヤと、前記スリーブの長手方向の前方端部から突出しかつ前記スリーブに対して長手方向に移動自在に取り付け、また皮膚面に接触しうる前面である刺激面を設けたリングと、前記スリーブと前記リングとの間に配置し、前記リングに対して前記スリーブを移動するのに応答して前記スリーブから前記リングに力を伝達し、前記刺激面を皮膚面に押し付ける弾性変形力伝達素子と、前記スリーブ内に取り付けかつこのスリーブに対して長手方向に移動自在のハウジングと、前記ハウジング取り付け、前記リングおよびキャリヤを担持するアダプタと、前記ハウジングに配置したカラーと、前記カラーに対して後方に離して前記ハウジング内に配置したリテーナと、前記リテーナおよびカラー間に配置して両者に作用を及ぼす発動コック用ばねと、前記リテーナに取り付ける後方端部を有するハンマと、前記ハンマを前方の前記キャリヤに向けて押圧変位するハンマばねと、前記ハウジングおよび前記スリーブから突出して手で掴むことができる後方端部および 
 前記カラーに取り付けた前方端部を有する手動ハンマ発動コック用ノブとを具え、前記ハウジングには前記ハンマを発動コック状態に釈放自在に係止する止め部を形成し、前記刺激面の内径が約６．０ｍｍ以上の大きさとなる形状にして前記刺激面により皮膚の切れ目を包囲する皮膚および体組織のリング状部分を押し込んで切れ目を盛り上がらせかつ切れ目を押し広げることができるようにし、これにより、体液が切れ目から押し出されるようにしたことを特徴とする体液サンプリング装置。 
 【請求項２】　前記リングを内側リングにより構成し、この内側リングの周囲に抜き差し自在に包囲する外側リングを設け、この外側リングを前記スリーブから前方に突出させかつスリーブに対して長手方向に移動自在にし、また前記外側リングを前方に弾性的に押圧変位させるばねを設け、前記外側リングを前記スリーブおよび前記内側リングの双方に対して長手方向に移動自在にした請求項１記載の装置。 
 【請求項３】　前記アダプタをスナップ連結によって前記リングに連結し、かつこのアダプタをバヨネット連結によって前記ハウジングに連結した請求項１又は２記載の装置。 
 【請求項４】　前記刺激面を軸線に直交する平面に対して傾斜させ、この傾斜は半径方向内方かつ長手方向後方に傾斜するものとし、また前記平面に対して１０゜〜６５゜の傾斜角度とした請求項１記載の装置。 
 【請求項５】　前記刺激面の幅を約５ｍｍ〜約２０ｍｍとした請求項１乃至４のうちのいずれか一項に記載の装置。 
 【請求項６】　前記内径を約１２．０ｍｍ以下の大きさとした請求項１乃至５のうちのいずれか一項に記載の装置。 
 【請求項７】　前記リングおよび前記アダプタは個別の固定具とは無関係の第１連結部を形成し、前記アダプタおよび前記ハウジングは個別の固定具とは無関係の第２連結部を形成し、前記ハウジングおよび前記スリーブは個別の固定具とは無関係の第３連結部を形成し、前記ハンマおよび前記リテーナは個別の固定具とは無関係の第４連結部を形成し、前記発動コック用ノブおよび前記カラーは個別の固定具とは無関係の第５連結部を形成した請求項１記載の装置。 
 【請求項８】　前記第１、第３、第４および第５の各連結部をスナップイン連結によって構成した請求項７記載の装置。 
 【請求項９】　前記キャリヤに取り付けたランセット、前記ランセットの後方移動を阻止するよう前記キャリヤの背後で前記スリーブに取り付けたキーパを設けた請求項１記載の装置。」 
 　 
 ３．引用刊行物に記載の発明 
 　本願出願日前である平成９年１１月２０日に頒布された国際公開第９７／４２８８６号パンフレット（以下、「引用例」という。対応する公表公報である特表２０００−５１１０６８号公報参照）には、図面と共に、以下の事項が記載されている。 
 ア．「図１に示す最少貫入サンプリング装置１０は互いに取り付けられた２個の半部シェル１２Ａ、１２Ｂ（図９、及び図１０参照）から形成された管状ハウジング１２を有する。ハウジング１２は縦軸線Ａと、下部開口端１４とを画成しており、この下部開口端１４は取り外し得るランセットキャリヤユニット１６を収容することができる。このキャリヤユニットは使い捨てのランセット部材１５０（以後「使い捨て部材」と称する）を支持する役割を果たし、次に説明するように、皮膚穿刺位置を刺激する役割を果たす。」（第１０頁第９〜１７行） 
 イ．「即ち、下方への力を加える度毎に、傷口、即ち切開部Ｉに対し包囲する関係に配置された皮膚、及び身体組織の環状の部分を押し下げるように外側の刺激スリーブの端面は作用し、傷口の側部を引っ張って離しながら、傷を受けた区域を膨らませる。従って、血液、又は組織間等に介在する介在流体のような流体を捕捉し、加圧する。従って流体は脹らむ傷口の引っ張られる開放端を経て上方に移動する。これは、沈下した皮膚、及び身体組織の包囲する環状部が流体の外方への流れを限定するからである。」（第１７頁第３２行〜第１８頁第７行） 
 ウ．「使い捨て部材１５０を図２、及び図１１に示し、この使い捨て部材１５０は下端から突出する針１５４を有するほぼ円筒形の円筒体１５２を有する。この使い捨て部材の外周縁から半径方向外方に突出する３個のボス１５６を円周方向、及び縦方向に離間して設ける。即ち、下部ボス１５６と、この下部ボスの上方に同一高さに配置された１対の上部ボス１５８とを設ける。使い捨て部材を縦方向に見た時、３個のボスは相互に円周方向に離間している。使い捨て部材をランセットキャリヤ１３０（図２参照）の上端に落下させた時、２個の上部突起は２個の案内傾斜面１４０のそれぞれに掛合し、使い捨て部材の下降運動を案内し、下部ボス１５６が凹所１４２に入るのを確実にする（図１３をも参照）。」（第１４頁第３行〜１８行） 
 エ．「 スリーブ１０２内に抜き差しできるよう内側リング１１６を取り付ける。この内側リングの下端付近に半径方向外方に突出する肩部１１８を設け、上端付近には半径方向内方に突出する肩部１２０を設ける。フランジ１０６の下端に衝合するよう肩部１１８を配置する。リング１１６に環状凹所を設け、この環状凹所にアダプタ１００の半径方向突起を収容し得るようにして、両者間にスナップ連結部を形成する（図２参照）。」（第１３頁第９〜１６行） 
 オ．「 使用者の皮膚に剌激スリーブ１０２を下方に押し付ける時（図３Ｅ参照）、スリーブ１０２は、ばね１０４の押圧力に抗して上方に移動するようになり、ばね４５の押圧力に抗してインタポーザ２２、及びそのトリガ突起４６を上昇させる。トリガ突起４６は止め８８に対して円周方向にずれているから、この突起は掛止め指片８４の下側に接触することができ、突起４６は掛止め指片８４にカム作用を及ぼし、掛止め指片８４を止め８８から外して、半径方向内方に動かす。これにより、予め圧縮されているばね９０によりハンマ１８、及びその衝撃脚８０をばね７６の押圧力に抗して下方に、使い捨て部材１５０に向け動かし（図３Ｆ参照）、ばね１３２の押圧力に抗して、使い捨て部材１５０、及びキャリヤ１３０を下方に押圧し、これにより針を皮膚に穿剌し、即ち皮膚を切開する。ばね１３２の作用により、キャリヤ１３０、及び使い捨て部材１５０を直ちに上方に後退させる。ばね７６によってハンマ１８が直ちに後退しているから、キャリヤ、及び使い捨て部材のこのような後退は可能である。従って、穿刺作用、即ち切開作用と、ランセットの後退とは、ほぼ連続する運動として行われる。次に、使用者はハウジング１２を繰り返して上下動させ、これにより刺激スリーブ１０２を皮膚に接触させて維持し、ばね４５によって刺激スリーブ１０２を繰り返し加圧し、皮膚の表面まで（血液のような）流体にポンプ作用を加えて汲み出すように、繰り返し傷口を開いたり、閉じたりする。この血液のような流体を汲み出すことについては、ここに援用する出願（代理人処理番号018176-060）に非常に詳細に説明されている。」（第１７頁第３行〜３１行） 
 カ．「 また、皮膚への挿通方向に下方に使い捨て部材を移動させるためのハンマ１８と、発射準備位置（即ち下方に押圧される位置）までハンマを上昇させるための手動ハンドル２０と、皮膚の表面にこの装置を手動で押圧するのに応動してハンマを自動的に釈放するためのインタポーザ２２と、血液収容毛細管を下方に押圧するための手動プッシャ２４と、上述の部片を適切に設置し、移動させるための複数個のばねとをハウジング１２（図３Ａ参照）内に取り付ける。 図３、及び図１２に示すインタポーザ２２はハウジング１２内で縦方向に移動可能であり、下部円筒部３０と、上部円筒部３２とを有し、下部円筒部の直径は上部円筒部の直径より小さく、そのため上方に向く肩部３４を形成している。キャリヤユニット１６をハウジング１２内に上方に摺動させ得るようにするため、１対の直径的に対向するスリット３６を下部円筒部３０内に形成する。」（第１０頁第１８〜３５行） 
 キ．「保護シースＳが針５４を覆っておれば（図２参照）、使用者は保護シースを引き出し、次にハンドル２０のノブ１７４を握り、上方に引っ張る（図３Ｃ参照）。これにより、リフト指片１７０の脚１７２と、ハンマ１８の頂壁７０との間でばね７６を圧縮する。ばね７６がこれ以上圧縮できないところまで圧縮された時、ハンドル２０を更に上昇させるとハンマ１８は上昇する。従って、結果として、掛止め指片８４の頂部の傾斜カム従動面８６はトリガ突起４６、及び止め８８の下側に掛合し、掛止めアーム８２を半径方向内方に撓ませ、突起４６を越え、次に止め８８を越えて指片８４を通過させる。最後に、指片８４は止め８８を過ぎて移動し、半径方向外方にスナップ移動し、これにより、止め８８の頂部によって指片の下降運動、従ってハンマの下降運動を防止する（図３Ｃ参照）。」（第１６頁第４行〜２０行） 
 ク．「 ハンマ１８が上昇したため、ばね９０は同時に圧縮され、これによりハンマ１８は下方に押圧される。 ハンドル２０が釈放された時、現在上昇しているハンドル１８の半径方向内方に突出する肩部１８０にハンドルの脚１７２が静止するに到るまで、ばね７６はハンドルを下方に押圧する（図３Ｄ参照）。これにより、ノブ１７４はその以前の位置より距離Ｄだけ僅かに上昇して留まり、このノブの僅かな上昇はハンマが発射準備位置（装填位置）にあることを視覚的に示すのに役立つ。」（第１６頁第２７行〜第１７頁第２行） 
 ケ．ＦＩＧ．２には、内側リング１１６はその底部がテーパ状となっている構成が記載され、また、ＦＩＧ３Ｅ，ＦＩＧ３Ｆには、サンプリング装置１０の刺激スリーブ１０２を使用者の皮膚に押しつけランセット部材１５０で針を皮膚に穿刺し皮膚を切開する際に、該テーパ状の底部が皮膚面に接触する前面である面を設けた構成が、記載されている。 
 コ．ＦＩＧ．３Ａには、内側リング１１６が、ハウジング１２の長手方向の前方端部から突出しかつ前記ハウジング１２に対して長手方向に移動自在に取り付けられている構成、インターポーザ２２がハウジング１２内に取り付けられ、該ハウジング１２に対して長手方向に移動自在である構成、及び、内側リング１１６およびランセットキャリア１３０を担持するアダプタ１００がインターポーザ２２に取り付けられた構成が、記載されている。 
 　したがって、上記引用例には、 
 血液、又は組織間等に介在する介在流体のような流体をサンプリングするためのサンプリング装置１０において、縦軸線Ａと、下部開口端１４とを画成するハウジング１２と、皮膚に切れ目を入れるためランセット部材１５０を支持するランセットキャリヤ１３０と、前記ハウジング１２の前方端部から突出しかつ前記ハウジング１２に対して長手方向に移動自在に取り付け、また皮膚面に接触しうる前面である面を設けた内側リング１１６と、前記ハウジング１２と前記内側リング１１６との間に配置し、前記内側リング１１６に対して前記ハウジング１２を移動するのに応答して前記ハウジング１２から前記内側リング１１６に力を伝達し、前記面を皮膚面に押し付けるばね１０４と、前記ハウジング１２内に取り付けかつこのハウジング１２に対して長手方向に移動自在のインターポーザ２２と、前記インターポーザ２２に取り付け、前記内側リング１１６およびランセットキャリア１３０を担持するアダプタ１００と、前記インターポーザ２２に配置したリフト指片１７０の脚１７２と、前記リフト指片１７０の脚１７２に対して後方に離して前記インターポーザ２２に配置したハンマ１８の頂部７０と、前記リフト指片１７０の脚１７２およびハンマ１８の頂部７０間に配置して両者に作用を及ぼすばね７６と、前記ハンマ１８の頂部７０を有する後方端部を有するハンマ１８と、前記ハンマ１８を前方の前記ランセットキャリア１３０に向けて押圧す変位するばね９０と、前記インターポーザ２２および前記ハウジング１２から突出して後方端部および前記リフト指片１７０の脚１７２を有する前方端部を有するノブ１７４と、を具え、前記ハウジングには前記ハンマを発射準備状態に釈放自在に係止する止め８８を形成した、サンプリング装置が、記載されている。（以下「引用例発明」という。） 
 　 
 ４．本願発明と引用例発明との対比 
 　　本願発明と引用例発明とを対比すると、引用例発明のサンプリング対象としている「血液、又は組織間等に介在する介在流体のような液体」とは、ランセット部材に設けられた針を用いて皮膚を穿刺することによって、皮膚から滲出する体液にほかならず、該体液が血液や細胞間等に介在する液体であることは自明であるから、本願発明の「血液又は細胞間体液」に相当することは明らかである。　また、引用例発明の、 
 （ａ）「サンプリング装置１０」、 
 （ｂ）「縦軸線Ａと、下部開口端とを画成するハウジング１２」、 
 （ｃ）「ランセット部材１５０」、 
 （ｄ）「ランセットキャリア１３０」、 
 （ｅ）「皮膚面に接触しうる前面である面を設けた内側リング１１６」、 
 （ｆ）「ばね１０４」、 
 （ｇ）「インターポーザ２２」、 
 （ｈ）「アダプタ１００」、 
 （ｉ）「リフト指片１７０の脚１７２」、 
 （ｊ）「ハンマ１８の頂部７０」、 
 （ｋ）「ばね７６」、 
 （ｌ）「ハンマ１８」、 
 （ｍ）「ばね９０」、 
 （ｎ）「ノブ１７４」、 
 （ｏ）「発射準備状態」及び 
 （ｐ）「止め８８」 
 は、上記摘記事項「ア」から「コ」及び図面から把握される動作機構からみて、それぞれ本願発明の 
 （ａ’）「体液サンプリング装置」、 
 （ｂ’）「長手方向軸線を画定する手で掴むことができるスリーブ」、 
 （ｃ’）「皮膚切り込み媒体」、 
 （ｄ’）「キャリヤ」、 
 （ｅ’）「皮膚面に接触しうる前面である刺激面を設けたリング」、 
 （ｆ’）「弾性変形力伝達素子」、 
 （ｇ’）「ハウジング」、 
 （ｈ’）「アダプタ」、 
 （ｉ’）「カラー」、 
 （ｊ’）「リテーナ」、 
 （ｋ’）「発動コック用ばね」、 
 （ｌ’）「ハンマ」、 
 （ｍ’）「ハンマばね」、 
 （ｎ’）「手動ハンマ発動コック用ノブ」 
 （ｏ’）「発動コック状態」及び 
 （ｐ’）「止め部」 
 に相当することは明らかである。 
 　してみれば、本願発明と引用例発明とは、 
 「血液又は細胞間体液をサンプリングするための体液サンプリング装置において、長手方向軸線を画定する手で掴むことができるスリーブと、皮膚に切れ目を入れるため皮膚切り込み媒体を支持するキャリヤと、前記スリーブの長手方向の前方端部から突出しかつ前記スリーブに対して長手方向に移動自在に取り付け、また皮膚面に接触しうる前面である刺激面を設けたリングと、前記スリーブと前記リングとの間に配置し、前記リングに対して前記スリーブを移動するのに応答して前記スリーブから前記リングに力を伝達し、前記刺激面を皮膚面に押し付ける弾性変形力伝達素子と、前記スリーブ内に取り付けかつこのスリーブに対して長手方向に移動自在のハウジングと、前記ハウジング取り付け、前記リングおよびキャリヤを担持するアダプタと、前記ハウジングに配置したカラーと、前記カラーに対して後方に離して前記ハウジングに配置したリテーナと、前記リテーナおよびカラー間に配置して両者に作用を及ぼす発動コック用ばねと、後方端部を有するハンマと、前記ハンマを前方の前記キャリヤに向けて押圧変位するハンマばねと、前記ハウジングおよび前記スリーブから突出して手で掴むことができる後方端部および前方端部を有する手動ハンマ発動コック用ノブとを具え、前記ハンマを発動コック状態に釈放自在に係止する止め部を形成してなる体液サンプリング装置、である点で一致し、以下の点で相違する。 
 [相違点１]　リテーナの配置位置について、本願発明では「ハウジング内に配置」しているのに対して、本願発明では、「ハウジングに配置」している点。 
 [相違点２]　ハンマの構成について、本願発明ではハンマはリテーナに取り付けられているのに対して、引用例発明はハンマとリテーナが一体である点。 
 [相違点３]　手動ハンマ発動コック用ノブの構成について、本願発明ではカラーに取り付けられているのに対して、引用例発明ではカラーと一体である点。 
 [相違点４]　リングに設けられた刺激面の構成について、本願発明では、刺激面の内径が約６．０ｍｍ以上の大きさとなる形状にして前記刺激面により皮膚の切れ目を包囲する皮膚および体組織のリング状部分を押し込んで切れ目を盛り上がらせかつ切れ目を押し広げることができるようにし、これにより、体液が切れ目から押し出されるようにしているのに対して、引用例発明では、係る点について明確に記載されていない点。 
 　 
 ５．当審の判断 
 　そこで、上記相違点について検討する。 
 （１）本願発明（請求項１に係る発明）について。 
 [相違点1]について。 
 　引用例におけるインターポーザ２２（本願発明の「ハウジング」に相当する。）と、ハンマ１８の頂部７０（本願発明の「リテーナ」に相当する。）との位置関係は特に限定されたものではないから、リテーナをハウジング内に配置させることは当業者が適宜行う設計事項に過ぎない。 
 　 
 [相違点２]について。 
 　構成部品を別体に設けて一方を他方に取り付けるか、はじめから一体として設けるかは装置設計上の慣用手段であるから、引用例発明のハンマの構成を、ばね７６を保持固定するためのハンマ１８の頂部７０（本願発明の「リテーナ」に相当する。）をハンマとは別体にリテーナとして構成し、該リテーナにハンマを取り付けるようにすることは当業者が適宜行う設計事項である。 
 　 
 [相違点３]について。 
 　構成部品を別体に設けて一方を他方に取り付けるか、はじめから一体として設けるかは装置設計上の慣用手段であるから、引用例発明のノブの構成を、ばね７６を保持固定するためのリフト指片１７０の脚１７２（本願発明の「カラー」に相当する。）をとは別体にカラーとして構成し、該カラーを取り付けるようにすることは当業者が適宜行う設計事項である。 
 　 
 [相違点４]について。 
 　引用例には、上記摘記事項「ケ」で挙げたように、ＦＩＧ．２には、内側リング１１６はその底部の面（本願発明の「刺激面」に相当する。）がテーパ状となっている構成が記載され、また、ＦＩＧ．３Ｅ，ＦＩＧ．３Ｆには、サンプリング装置１０の刺激スリーブ１０２を使用者の皮膚に押しつけランセット１５０で針を皮膚に穿刺し皮膚を切開する際に、該テーパ状の底部が皮膚面に接触する前面である面を設けた構成が、記載されている。そして、テーパ状の面を持つ内側リングを皮膚に押しつけランセット部材１５０の針で皮膚を穿刺し皮膚を切開すれば、該面により皮膚の切れ目を包囲する皮膚および体組織のリング状部分が押し込まれて切れ目が盛り上がりかつ切れ目を押し広げる作用を及ぼし、これにより、体液が切れ目から押し出されることになることは当業者にとって自明である。また、本願発明では、刺激面の内径を「約６ｍｍ以上」と限定しているが、本願明細書及び図面の記載を参酌しても、係る数値限定に臨界的意義は認められず、当業者が適宜行う設計事項であると認められる。 
 　また、本願発明の作用効果も引用例に記載の発明及び慣用手段に基いて当業者が予測しうる範囲内のものである。 
 　したがって、本願発明は引用例および慣用手段に基いて当業者が容易に発明をすることができたものである。　 
 （２）請求項２に係る発明は、請求項１を引用し、リングの構成を「内側リング」と限定すると共に、「この内側リングの周囲に抜き差し自在に包囲する外側リングを設け、この外側リングを前記スリーブから前方に突出させかつスリーブに対して長手方向に移動自在にし、また前記外側リングを前方に弾性的に押圧変位させるばねを設け、前記外側リングを前記スリーブおよび前記内側リングの双方に対して長手方向に移動自在にした」構成を限定するものである。 
 　引用例のＦＩＧ．２、ＦＩＧ．３Ａには、内側リング１１６の周囲に抜き差し自在に包囲する刺激スリーブ（請求項２に係る発明の「外側リング」に相当する。）を設け、この刺激スリーブをハウジング１２（本願発明の「スリーブ」に相当する。）から前方に突出させかつハウジング１２に対して長手方向に移動自在にし、また刺激スリーブを前方に弾性的に押圧変位させるばね１０４を設け、刺激スリーブを前記ハウジング及び前記内側リングの双方に対して長手方向に移動自在にした構成が記載されている。 
 　よって、請求項２に係る発明も、引用例に記載された発明及び慣用手段により当業者が容易に発明をすることができたものである。 
 　 
 （３）請求項３に係る発明は、請求項１を引用し、「アダプタをスナップ連結によって前記リングに連結し、かつこのアダプタをバヨネット連結によって前記ハウジングに連結した」構成を限定するものである。 
 　上記摘記事項「エ」には、リングとアダプタの両者をスナップ連結する構成が記載されている。また、筒状部材の連結方法としてバヨネット連結は引用例を挙げるまでもなく周知技術であるから、アダプタとハウジングをバヨネット連結するようにすることに何ら技術的困難性は認められない。 
 　よって、請求項３に係る発明も、引用例に記載された発明、慣用手段及び周知技術により当業者が容易に発明をすることができたものである。 
 　 
 （４）請求項４に係る発明は、請求項１を引用し、刺激面の傾斜角度の数値を限定するものである。 
 　本願明細書及び図面の記載を参酌しても、係る傾斜面の限定する角度の数値に何ら臨界的意義は認められず、当業者が適宜行う設計事項である。 
 　　よって、請求項４に係る発明も、引用例に記載された発明及び慣用手段により当業者が容易に発明をすることができたものである。 
 　　 
 （５）請求項５に係る発明は、請求項１乃至４のいずれか一項を引用し、刺激面の幅の数値を限定するものである。 
 　本願明細書及び図面の記載を参酌しても、係る刺激面の限定する幅の数値に臨界的意義は認められず、当業者が適宜行う設計事項である。 
 　　よって、請求項５に係る発明も、引用例に記載された発明及び慣用手段により当業者が容易に発明をすることができたものである。 
 　 
 （６）請求項６に係る発明は、請求項１乃至５のいずれか一項を引用し、刺激面の内径の数値を限定したものである。 
 　本願明細書及び図面の記載を参酌しても、係る刺激面の限定する幅の数値に臨界的意義は認められず、当業者が適宜行う設計事項である。 
 　よって、請求項６に係る発明も、引用例に記載された発明及び慣用手段により当業者が容易に発明をすることができたものである。 
 　　 
 （７）請求項７は、請求項１を引用し、それぞれリング及びアダプタ、アダプタ及びハウジング、ハウジング及びスリーブ、ハンマ及びリテーナ、発動コック用ノブ及びカラーとの連結部の関係を限定したものである。 
 　上記構成要素をどのように連結するかは当業者が適宜行う設計事項であると認められる。 
 　　よって、請求項７に係る発明も、引用例に記載された発明及び慣用手段により当業者が容易に発明をすることができたものである。 
 　 
 （８）請求項８は、請求項７を引用し、各連結部の構成をスナップイン連結と限定したものである。 
 　上記摘記事項「エ」には、リングとアダプタの両者をスナップ連結する構成が記載されており、さらにスナップ連結は二つの部材の連結手段として周知技術であるから、連結部の構成をスナップイン連結とするようにすることは当業者が適宜行う設計事項である。 
 　よって、請求項８に係る発明も、引用例に記載された発明及び慣用手段により当業者が容易に発明をすることができたものである。 
 　 
 （９）請求項９は、請求項１を引用し、ランセットの後方移動を阻止するようにキャリアの背後でスリーブに取り付けたキーパを設ける構成を限定するものである。 
 　ランセット部材は所定の位置に保持される必要があることは自明であるから、ランセット部材を所定の位置に保持するために、ランセット部材の移動を阻止する部材を所定の位置に設けることは当業者が適宜行う設計事項である。 
 　よって、請求項９に係る発明も、引用例に記載された発明及び慣用手段により当業者が容易に発明をすることができたものである。 
 　 
 ６．むすび 
 　以上のとおり、本願請求項１〜９に係る発明は、引用例に記載された発明、慣用手段及び周知技術に基いて当業者が容易に発明をすることができたものであるから、特許法第２９条第２項の規定により特許を受けることができない。 』
　
　そして、上記の拒絶理由は妥当なものと認められるので、本願は、この拒絶理由によって拒絶すべきものである。
　よって、結論のとおり審決する。